(57)【要約】      （修正有）【課題】ヘッド外定位の場合に音響効果の再生に関して最高の品質をもたらすヘッドホンを提供する。【解決手段】ハウジング内の中心から離れた位置に配置された、可聴スペクトル全体の少なくとも主要領域に関する音声信号の再生に用いられる少なくとも１つの広帯域音響変換器４を有するヘッドホンに関し、ヘッドホンのヘッド外定位設定の最適化には、可聴周波数スペクトルにおける高音領域の再生のための少なくとも１つの高音音響変換器９〜１２が装備されているが、これらは広帯域音響変換器４においてハウジングの中央から遠く離れたほうの縁領域の前方に、またはその外側に配置される。【選択図】図１
2006222962.tif 000002
【特許請求の範囲】
【請求項１】
ハウジング内の中心から離れた位置に配置された、可聴スペクトル全体の少なくとも主要領域に関する音声信号の再生に用いられる少なくとも１つの広帯域音響変換器（４）を有するヘッドホンであって、広帯域音響変換器（４）においてハウジングの中央から遠く離れたほうの縁領域の前方に、またはその外側に配置されている、可聴周波数スペクトルにおける高音領域の再生のための少なくとも１つの高音音響変換器（９〜１２）を特徴とするヘッドホン。
【請求項２】
高音音響変換器（９〜１２）が約８ｋＨｚを越える高音周波数スペクトルを伝達することを特徴とする、請求項１に記載のヘッドホン。
【請求項３】
高音音響変換器（９〜１２）に高域通過フィルタが前置接続されていることを特徴とする、請求項２に記載のヘッドホン。
【請求項４】
ハウジングの下半分に設置された広帯域音響変換器（４）が、ヘッドホン利用者の特に視線方向において前方にずらされて配置されていることを特徴とする、請求項１、２または３に記載のヘッドホン。
【請求項５】
ハウジングの上半分に、少なくとも１つの高音音響変換器（１１、１２）の割り当てられた追加の広帯域音響変換器（５）が、特にヘッドホン利用者の視線方向と逆に後方へずらされて配置されていることを特徴とする、請求項４に記載のヘッドホン。
【発明の詳細な説明】
【技術分野】
【０００１】
本発明は、ハウジング内の中心から離れた位置に配置された、可聴スペクトル全体の少なくとも主要領域に関する音声信号の再生に用いられる少なくとも１つの広帯域音響変換器を有するヘッドホンに関する。
【背景技術】
【０００２】
中心から離れた位置に配置された音響変換器を持つこの種のヘッドホンは、例えばＷＯ  ９１  ０１  ６１６  Ａ２から公知である。公知の当ヘッドホンの音響変換器は、生成された音響効果がヘッドホン利用者の頭の前方で知覚されるように、その位置は視線方向を基準に下方および主として前方にずらされる（ヘッドホン利用者のヘッド外の音響効果に対する位置決定のための、ヘッドホンの特殊例としての前方定位ステレオヘッドホン）。この効果は、ヘッドホン利用者の耳翼または外耳の持つ方向性フィルタ作用または櫛様フィルタ作用で説明することができる。音響効果に対するこの知覚は、音響変換器がヘッドホンハウジングの中央に配置されたヘッド内定位の従来型ヘッドホンに比べて、利用者の耳から離れたところで起こるヘッドホンなしの音響知覚効果としての定常聴覚経験に一致する旋律で、利用者が音響効果を知覚するという利点がある。
【０００３】
そのほか、この前方定位ステレオヘッドホンの改良タイプとして、同様に中心から離れた位置に配置された、それも上方および主として後方にずらされて配置された、少なくとも１つの追加音響変換器を持つステレオ音響ヘッドホンが公知である（ＤＥ  ４２  ３６  ７６５  Ａ１）。このヘッドホンでは、ヘッドホン利用者のヘッド外の音響効果を前方からだけでなく、後方からもヘッドから離れた側方からも知覚することができる。このヘッドホンはヘッド外定位のためにより一般化されたヘッドホンの例である。
【発明の開示】
【発明が解決しようとする課題】
【０００４】
本発明の課題は、ヘッド外定位の場合に音響効果の再生に関して最高の品質をもたらす上記種類のヘッドホンを創出することにある。
【課題を解決するための手段】
【０００５】
この課題は請求項１の特徴によって解決される。従属請求項には本発明の有利な改良形態が記載されている。
【０００６】
したがって本発明によれば、ハウジング内の中心から離れた位置に配置された、可聴スペクトル全体の少なくとも主要領域に関する音声信号の再生に用いられる少なくとも１つの広帯域音響変換器を有するヘッドホンが提供される。これは、特徴として、ヘッドホンハウジングの広帯域変換器に加えて可聴周波数スペクトルにおける高音領域の再生のため、少なくとも１つの高音音響変換器を備えており、その高音音響変換器は広帯域音響変換器の縁領域に、それもハウジングの中央から遠く離れたほうの縁領域の前方に、またはその外側に配置されている。
【０００７】
驚いたことに、広帯域音響変換器に対して特殊なポジションで、つまりヘッドホンハウジングの中央から遠いほうの広帯域拡声器周辺領域で高音音響変換器を使用すれば、ヘッドホン利用者の耳翼または外耳の方向性フィルタ作用および音響効果のヘッド外定位設定が最適化されるのが明らかになった。
【０００８】
これは恐らく、広帯域音響変換器の中心外配置に起因する音響再生における僅かな高さ損失が、広帯域音響変換器に対して特殊ポジションにある追加の高音音響変換器によって補償されることで説明し得よう。
【０００９】
追加の高音音響変換器は、主として約８ｋＨｚを越える高音周波数スペクトルを伝達する。
【００１０】
さらに、高音音響変換器には、好ましくも高域通過フィルタが前置接続されている。
【００１１】
初めに説明した、ヘッドホン利用者の特に視線方向でのヘッド前方における音響効果の知覚面で有利にするための、ヘッド外定位設定の特殊例における最適化には、ハウジングの下半分に設置した広帯域音響変換器を、ヘッドホン利用者の特に視線方向でのヘッド前方にずらして配置することが想定されている。
【００１２】
当初に説明した一般化された例の最適化では、ヘッドホン利用者のヘッドの周りを取り囲む音響効果の知覚に有利に働かせるためのヘッド外定位設定では、有利なことに、ハウジングの上半分に、少なくとも１つの高音音響変換器の割り当てられたもう１つの広帯域音響変換器を、特にヘッドホン利用者の視線方向と逆に後方へずらして配置することが想定されている。
【発明を実施するための最良の形態】
【００１３】
以下では本発明をただ１つの図面に基づきより詳しく説明する。この図面は、本発明に基づくヘッドホン（ステレオ音響ヘッドホン）の１つの実施例におけるハウジングについてのもので、２つの広帯域音響変換器および追加の高音変換器の装備された音響ボード（バッファーボード）を示した上面模式図である。
【００１４】
図１では各部が数字で示されており、１は音響を受け止めるヘッドホン利用者の耳翼、耳介または外耳である。２は図には描かれていないヘッドホンハウジングの音響ボードまたはバッファーボードを構成する格子状の支持構造、３は例えばフェルト遮音材の形態を取る音響ボードまたはバッファーボードの構成要素としての、この構造の消音カバー材、４は音響ボード２の中央を基準に垂直下方（矢印Ａの方向）に、且つヘッドホン利用者の視線方向である前方（矢印Ｃの方向）にずらされた、矢印Ｂで示された放射方向の位置にある第一次広帯域音響変換器、５は音響ボード２の中央を基準に上方および後方へずらされた位置にある第二次広帯域音響変換器、６はそのポジションが、追加高音音響変換器のための本発明に基づくポジションに一致しない、両広帯域音響変換器４と５間の高音音響変換器の仮説上のポジション、７〜１２は本発明に基づき位置設定された高音音響変換器を示している。
【００１５】
本発明に基づき位置設定された高音音響変換器７〜１２は広帯域音響変換器４、５の縁領域に、それもハウジングまたは音響ボード２、３の中央から遠く離れたほうの縁領域の上方に、またはその外側に配置されている。
【００１６】
第一次広帯域音響変換器４の縁より内側で図平面より上方であって、放射方向の矢印Ｂを基準として時計の針と逆回りにずらされた位置に高音音響変換器９が配置されている。音響ボード２、３の中心を基準として、それに対応する鏡面対称のポジションに、第二次広帯域音響変換器５に割り当てられた高音音響変換器１１が配置されている。
【００１７】
第一次広帯域音響変換器４の縁上にあって、放射方向の矢印Ｂを基準として時計回りにずらされた位置に高音音響変換器１０が配置されている。音響ボード２、３の中心を基準として、それに対応する鏡面対称のポジションに、ただし縁から僅かに離れたポジションに、第二次広帯域音響変換器５に割り当てられた高音音響変換器１２が配置されている。
【００１８】
第一次広帯域音響変換器４の縁の外側で縁に接して、放射方向の矢印Ｂを基準として時計の針と反対回りにずらされた位置に高音音響変換器８が配置されている。放射方向の矢印Ｂを基準として、それよりさらに時計の針と反対回りにずらされた、且つ音響変換器４の縁から距離を置いた位置に高音音響変換器７が配置されている。
【００１９】
複数の高音音響変換器７〜１２のポジションは単にモデル例に過ぎない。複数の高音音響変換器の代わりに、各広帯域音響変換器４、５にそれぞれ１つだけ高音音響変換器を割り当てることもできる。これらの高音音響変換器はその特殊なポジションにより全体として、または選択されたいずれかが、最初に説明した、ヘッドホンで生成された音響効果に対するヘッド外定位設定の最適化に役立っている。
【００２０】
音響ボード２、３の中心に比較的近い位置にある仮説上のポジション６に高音音響変換器が配置されても、ヘッド外定位設定の最適化には寄与しないであろう。
【００２１】
音響効果に対するヘッド外定位設定の最適化における高音音響変換器の寄与度は、その前に音響変換器の配置されている、それぞれヘッドホン利用者の耳に、それも中央の耳道の方向に向けられている、例えば筒形態またはホルン形態の特殊な音響誘導具によって増進させることができる。この音響誘導具は、好ましい例では、高音音響変換器とほぼ同じ約１５ｍｍの直径および長さ１５ｍｍ未満のシリンダ素子を有している。
【００２２】
高音音響変換器９〜１２は、分離周波数約８ｋＨｚの高域通過フィルタの使用下で第一次および第二次広帯域音響変換器４、５に並列接続されている。
【図面の簡単な説明】
【００２３】
【図１】本発明についての、２つの広帯域音響変換器および追加の高音変換器の装備された音響ボード（バッファーボード）を示した上面模式図である。
【符号の説明】
【００２４】
１  耳
２  音響ボード
３  消音カバー材
４  第一次広帯域音響変換器
５  第二次広帯域音響変換器
７，８，９，９，１０，１１，１２  高音音響変換器
【図１】
2006222962.tif 000003